(57)【要約】【課題】ナイフ刃の刃先を折り取る際に屑刃が飛散しない折刃機能を持たせると共に、ケースの内部に収容した屑刃がケースからこぼれ落ちない構造の折刃機能付の屑刃ケースを提供することを目的とする。【解決手段】折り取った屑刃をケース本体の内部に設けた屑刃収容部へ収容する構造の折刃機能付の屑刃ケースにおいて、ケース本体内の貫通孔の近傍で且つ該貫通孔を閉塞しない位置に磁石を配して、屑刃収容部の屑刃を磁石の磁力で吸着させる。【選択図】図３
2007252494.tif 000002
【特許請求の範囲】
【請求項１】
カッターナイフ本体に進退可能に配設した複数の折り溝を有するナイフ刃を、ケース本体を構成する側壁に設けた貫通孔へ差し込んで前記折れ溝に沿って折り取り、該折り取った屑刃を前記ケース本体の内部に設けた屑刃収容部へ収容する構造の折刃機能付の屑刃ケースにおいて、前記ケース本体内の前記貫通孔の近傍で且つ該貫通孔を閉塞しない位置に磁石を配して、前記屑刃収容部の屑刃を前記磁石の磁力で吸着することを特徴とした折刃機能付の屑刃ケース。
【請求項２】
前記磁石の磁力で前記ケース本体を磁性部材に吸着させ保持することを特徴とした請求項１に記載の折刃機能付の屑刃ケース。
【請求項３】
前記ケース本体に前記磁石を着脱可能に配設し、該ケース本体の内部に該磁石と前記屑刃収容部とを隔てる隔壁を設け、該磁石を該ケース本体から取り出すことにより、前記屑刃収容部に収容した屑刃を該磁石の磁力から解放して、前記屑刃収容部から屑刃を排出可能とすることを特徴とした請求項１または２に記載の折刃機能付の屑刃ケース。
【発明の詳細な説明】
【技術分野】
【０００１】
本発明は、カッターナイフの劣化したナイフ刃を折り取り、折り取った屑刃をケース内に収容する折刃機能付の屑刃ケースに関する。
【背景技術】
【０００２】
従来より、カッターナイフ本体に進退可能に配設した複数の折り溝を有するナイフ刃を備えたカッターナイフは知られており、このようなカッターナイフでは、刃先が劣化した際に、その刃先を固いものに押し当てて折り取り、新たな刃先を先端として常に状態の良いカッターナイフとして使用することも周知である。しかしながら、この様なナイフ刃は硬質で且つバネ性があるため、固いものに刃先を押し当てて折り取った時に、屑刃が飛散する怖れがあり危険が伴う。そこで、特開２００２−３３６５５８号公報では、前述した屑刃の飛散を防止するために、折り取る刃先の近傍に磁石を配設し、磁石の磁力によって折り取った屑刃を当該磁石に吸着させる構造のものが提案されている。あるいは、細長い貫通孔を設けた箱形の屑刃ケースを使って、その貫通孔に劣化したナイフ刃の刃先を差し込んで折れ溝に沿って折り取り、そのケースの内部に屑刃を収容するものも一般的である。
【特許文献１】特開２００２−３３６５５８号公報
【発明の開示】
【発明が解決しようとする課題】
【０００３】
しかしながら、前記特開２００２−３３６５５８号公報に記載された構造においては、折り取った屑刃の飛散防止にはなるが、磁石の位置がナイフ刃の刃先の近傍にあることから、次にカッターナイフを使用する際に、前回折り取った屑刃を磁石から取り除く必要がある。この場合、劣化しているとは言え、磁石に磁力で吸着している刃を指で触るには危険が伴うことになり、取り除いた屑刃の処分にも困る。また、折刃機能が付いた屑刃ケースにおいては、ケース側面の貫通孔にて刃先を折り取り、そのまま屑刃をケースの内部に収容できるので便利ではあるが、ケースを動かした際に貫通孔から屑刃がこぼれ落ちてしまうことがあった。このこぼれた屑刃を拾うのは危険が伴う。また、この様なナイフ刃には一般的に厚くて巾広い大きなサイズのものと、薄くて小さなサイズのものとがある。もし大きなナイフ刃を折り取るための貫通孔を有する屑刃ケースにて、小さいナイフ刃を折り取った場合には、大きなナイフ刃用に設定された貫通孔の隙間からは小さく薄い屑刃が簡単にこぼれ落ちてしまっていた。したがって、それぞれのサイズに合わせた貫通孔を有する大小２種類の屑刃ケースを必要としていた。
【０００４】
本発明は前記事実に鑑みてなされたもので、ナイフ刃の刃先を折り取る際に屑刃が飛散しない折刃機能を持たせると共に、ケースの内部に収容した屑刃がケースからこぼれ落ちない構造の折刃機能付の屑刃ケースを提供することを目的とする。
【課題を解決するための手段】
【０００５】
本発明は、
「１．カッターナイフ本体に進退可能に配設した複数の折り溝を有するナイフ刃を、ケース本体を構成する側壁に設けた貫通孔へ差し込んで前記折れ溝に沿って折り取り、該折り取った屑刃を前記ケース本体の内部に設けた屑刃収容部へ収容する構造の折刃機能付の屑刃ケースにおいて、前記ケース本体内の前記貫通孔の近傍で且つ該貫通孔を閉塞しない位置に磁石を配して、前記屑刃収容部の屑刃を前記磁石の磁力で吸着することを特徴とした折刃機能付の屑刃ケース。
２．前記磁石の磁力で前記ケース本体を磁性部材に吸着させ保持することを特徴とした１項に記載の折刃機能付の屑刃ケース。
３．前記ケース本体に前記磁石を着脱可能に配設し、該ケース本体の内部に該磁石と前記屑刃収容部とを隔てる隔壁を設け、該磁石を該ケース本体から取り出すことにより、前記屑刃収容部に収容した屑刃を該磁石の磁力から解放して、前記屑刃収容部から屑刃を排出可能とすることを特徴とした１項または２項に記載の折刃機能付の屑刃ケース。」
である。
【０００６】
ケース本体内に磁石を配することにより、ケース収容部に収容された屑刃が磁力でまとまり、貫通孔からこぼれ落ちにくくなる。特に、磁石を貫通孔の近傍に位置させるのは、直前に折り取った屑刃が、貫通孔の入口の所で磁石に吸着されるので、その屑刃が貫通孔の隙間を塞ぐ状態となり、折り取って屑刃収容部の中の方に収容されている他の屑刃がこぼれ落ちることを防止できるためである。また、ケース本体の側壁に設ける貫通孔のサイズは、大きいナイフ刃用と小さいナイフ刃用とに分けて設定してもよいが、前述したように本願発明構造では、貫通孔の近傍に位置する磁石に吸着された屑刃が、貫通孔の入口（屑刃収容部としては出口）を塞ぐ状態となるから、貫通孔のサイズは全て大きいナイフ刃用に合わせて設定することも可能である。また、本発明では貫通孔と磁石の前記位置関係さえ整っていれば、ケース本体の一箇所に限らず、複数箇所に貫通孔を設けてもよい。例えば四角い箱形状のケース本体の場合には、四つの側面に貫通孔を設けることにより、使用者がケースの方向性を気にせず使用できるものとなる。
【０００７】
磁石は永久磁石であれば一般的な焼結磁石やゴム磁石を用いることができる。また、請求項２の発明に係り、磁石の磁力でケース本体を鉄板等の壁面に保持させる場合には、ケース本体およびケース本体に付属する部材の重さ、そしてケースの内部に収容した屑刃がケース内に一杯になった時の重さを考慮して、屑刃ケースを壁面に保持できる磁力を有した磁石を選定すればよい。尚、磁石がケース本体の内部に完全に収容される形態であっても、ケースが樹脂材等の非磁性材料からなる場合には、磁界が外部までおよぶので、その漏洩する磁力を考慮して設定すればよい。
【０００８】
また、請求項３の発明に係り、磁石をケース本体から着脱可能とする場合には、ケース本体の内部に磁石を配設する構造のものでは、ケース本体にヒンジ式やスライド式や嵌合式等の蓋体を設けて、当該蓋体を開き磁石の着脱を行う構造とすればよい。また、他の構造としては、ケース本体に開口部を設けて、その開口部に磁石を着脱可能に装着させてもよい。
【発明の効果】
【０００９】
本発明は、上記したような構造なので、ケース本体から屑刃がこぼれ落ちることがないものとなる。また、ケース本体を磁石の磁力でスチール製の事務机や冷蔵庫の扉等の身近な鉄板に吸着できるようにすることにより、使い勝手がよいものとなる。また、ケース本体から磁石を取り出して屑刃収容部の屑刃を排出できるようにすることにより、屑刃が屑刃収容部に一杯になった場合でも、屑刃を排出して、ケース自体は半永久的に使用できるものとなる。
【発明を実施するための最良の形態】
【００１０】
次に図面を参照しながら、本発明の折刃機能付の屑刃ケースの実施例について説明を行うが、本発明は以下の実施例に限定されるものではない。また図中の同じ部材、同じ部品については、同じ符号としてある。また、ケース本体に設けた貫通孔の高さ方向を上下方向とし、貫通孔の巾方向を横方向とし、図中のカッターナイフがある位置側を前とし反対側を後として説明を行う。
【実施例】
【００１１】
図１は第１の実施例である刃折機能付の屑刃ケースの斜視図で、図２は図１の屑刃ケースを中央部で割った状態と、カッターナイフの前方部との説明図である。図に示すように本実施例の屑刃ケース１は、四角い箱状のケース本体２を構成する側壁３の前面に、貫通孔４を設けてある。本実施例では、ケース本体２の側壁３のうちの天面５を透明樹脂で成形して内部が見える構造とした。ケース本体２の内部は、前記貫通孔４の近傍となる位置に、磁石６をケース本体２の底面に両面テープで固着してあり、磁石６以外の空間部を屑刃収容部７として屑刃８を収容する。尚、磁石６の上面６ａは、貫通孔４の下辺の高さと同じになるよう設定してあり、磁石６の磁力で屑刃８を吸着させる構造とした。また、図に示すカッターナイフ１００は、ナイフ刃８０が厚くて巾広い大きいサイズのものであり、前記貫通孔４は、そのナイフ刃８０に対応する隙間高さと巾寸法で形成してある。
【００１２】
図３は、ナイフ刃の劣化した刃先を本実施例の屑刃ケースにて折り取る時の図である。貫通孔４にカッターナイフ１００のナイフ刃８０を差し込むと、前回折り取った磁石６の上面に磁力で吸着されている屑刃８ａが、ナイフ刃８０によって屑刃収容部７の後方へ押し込まれる。この状態で、カッターナイフ１００を矢印Ｓの方向へ倒すと、ナイフ刃８０の劣化した刃先を折り取ることができる。図４は、本実施例の屑刃ケース１の断面であり、貫通孔４を下に向けて屑刃８を落下させた状態である。図に示すように本実施例の屑刃ケース１は、磁石６に屑刃８が吸着し、また前回折り取った屑刃８ａが貫通孔４の隙間を塞ぐ構造なので、屑刃８が屑刃８ｂの状態になろうともケース本体２の外へこぼれ落ちることはなかった。
【００１３】
図５は第２の実施例である刃折機能付の屑刃ケースの斜視図で、図６は図５の屑刃ケースを中央部で割った状態と、カッターナイフの前方部との説明図である。図に示すように本実施例の屑刃ケース１１は、四角い箱状のケース本体１２を構成する側壁１３の前面に、貫通孔１４を設けてある。本実施例では、ケース本体１２の内側に上下を分割する区画壁１５を設け、区画壁１５の下部を磁石収容部６０として磁石１６を配設し、区画壁１５の上部を屑刃収容部１７として屑刃８を収容する。尚、磁石１６の上面１６ａは、薄い区画壁１５を隔てて貫通孔１４の近傍に位置する構造としてあり、当該磁石１６の磁力で屑刃収容室１７の屑刃８を吸着させる構造とした。また、図に示すカッターナイフ１００は実施例１のものと同じで、ナイフ刃８０が厚くて巾広い大きいサイズのものであり、前記貫通孔１４は、そのナイフ刃８０に対応する隙間高さと巾寸法で形成してある。本実施例では、ケース本体１２の上面と下面に上蓋１２ａと下蓋１２ｂとを配設し、それぞれの左右辺に沿って形成した係止凸部１２０ａ，１２０ｂを左右の側壁１３の上部及び下部に設けた係止凹部１３ａ，１３ｂにスライドさせ、係止してある。
【００１４】
図７は、本実施例の屑刃ケース１１の断面図であり、貫通孔１４を下に向けて屑刃８を落下させた状態である。図に示すように本実施例の屑刃ケース１１は、磁石１６に屑刃８が吸着し、また前回折り取った屑刃８ａが貫通孔１４の隙間を塞ぐ構造なので、屑刃８が屑刃８ｂの状態になろうとも、ケース本体１２の外へ屑刃がこぼれ落ちることはなかった。図８は、上蓋と下蓋とを開いた状態の図である。図に示すように、下蓋１２ｂを開いて磁石１６をケース本体１２から取り外して、屑刃８を磁石１６の磁力から解放すると、上蓋１２ａを開くことにより屑刃８が自重で落下するので、屑刃８に触れることなく排出が行なえた。尚、本実施例では上蓋１２ａ，１２ｂを開きやすくするため、図７に示すように指を掛ける凹部１２１ａ，１２１ｂを設けてある。
【００１５】
図９は第３の実施例である刃折機能付の屑刃ケースの斜視図で、図１０は図９の屑刃ケースを中央部で割った状態と、カッターナイフの前方部との説明図である。また、図１１はケース本体２２に磁石２６を装着する際の組み立て図である。図に示すように本実施例の屑刃ケース２１は、四角い箱状のケース本体２２を構成する側壁２３の前後左右の合計４箇所に、貫通孔２４を設けてある。本実施例では、ケース本体２２の底面を開口し、その開口部２２ａに磁石２６を、当該磁石２６の上面２６ａが貫通孔２４の下辺の近傍に位置する深さまで嵌め込んで装着してあり、磁石２６と屑刃ケース２１との隙間で構成する空間を屑刃収容部２７として屑刃８を収容し、当該磁石２６の磁力で屑刃収容部２７の屑刃８を吸着させる構造とした。本実施例では磁石２６の中央に凹部２６ｂを形成して、磁石２６の上面２６ａから移動した屑刃８が凹部２６ｂ内に入る構造とした。また、図に示すカッターナイフ１００は実施例１のものと同じで、ナイフ刃８０が大きいサイズのものであり、前記４箇所全ての貫通孔２４は、そのナイフ刃８０に対応する隙間高さと巾寸法で形成してあり、使用者はいずれの貫通孔も使用することが可能である。尚、本実施例の屑刃ケース２１は、屑刃８が凹部２６ｂに入る構造なので、図に示すように貫通孔２４が互いに向き合っていても、一方の貫通孔２４に差し込んだナイフ刃８０によって、向き合った他方の貫通孔２４から屑刃８が押し出されてこぼれ落ちるという心配はない。
【００１６】
図１２は、本実施例の屑刃ケース２１の断面図であり、鉄板３０に磁石２６を吸着させケース本体２２を垂直壁に保持した状態の図であり、貫通孔２４を下に向けて屑刃８を重力で落下させた状態である。図に示すように本実施例の屑刃ケース２１は、磁石２６に屑刃８が吸着し、また前回折り取った屑刃８ａが貫通孔２４の隙間を塞ぐ構造なので、屑刃８が屑刃８ｂの状態になろうとも、ケース本体２２の外へ屑刃がこぼれ落ちることはなかった。
【産業上の利用可能性】
【００１７】
本願発明による屑刃ケースは、カッターナイフの替刃ケースと一体に形成してもよい。また屑刃ケースをキーホルダー等の着脱可能な方法でカッターナイフ本体へ装着し、刃が劣化した際には屑刃ケースをカッターナイフ本体から取り外して使用できるものとしてもよい。
【図面の簡単な説明】
【００１８】
【図１】第１の実施例である刃折機能付の屑刃ケースの斜視図である。
【図２】図１の屑刃ケースを中央部で割った状態と、カッターナイフの前方部との説明図である。
【図３】ナイフ刃の劣化した刃先を第一の実施例の屑刃ケースにて折り取る時の図である。
【図４】実施例１の屑刃ケースの断面であり、貫通孔を下に向けて屑刃を落下させた状態である。
【図５】第２の実施例である刃折機能付の屑刃ケースの斜視図である。
【図６】図５の屑刃ケースを中央部で割った状態と、カッターナイフの前方部の概念図である。
【図７】実施例２の屑刃ケースの断面であり、貫通孔を下に向けて屑刃を落下させた状態である。
【図８】上蓋と下蓋とを開いた状態の図である。
【図９】第３の実施例である刃折機能付の屑刃ケースの斜視図である。
【図１０】図９の屑刃ケースを中央部で割った状態と、カッターナイフの前方部との説明図である。
【図１１】図１１はケース本体に磁石を装着する際の組み立て図である。
【図１２】実施例３の屑刃ケースの断面であり、貫通孔を下に向けて屑刃を落下させた状態である。
【符号の説明】
【００１９】
１…屑刃ケース、２…ケース本体、３…側壁、４…貫通孔、
５…天面、６…磁石、６ａ…上面、７…屑刃収容部、
８…屑刃、８ａ…前回折り取った屑刃、
１００…カッターナイフ、８０…ナイフ刃、
１１…屑刃ケース、１２…ケース本体、１２ａ…上蓋、１２ｂ…下蓋、
１２０ａ，１２０ｂ…係止凸部、
１３…側壁、１３ａ，１３ｂ…係止凹部、１４…貫通孔、
１５…区画壁、１６…磁石、１６ａ…上面、１７…屑刃収容部、
６０…磁石収容部、
２１…屑刃ケース、２２…ケース本体、２２ａ…開口部、
２３…側壁、２４…貫通孔、２６…磁石、２６ａ…上面、２６ｂ…凹部、
２７…屑刃収容部、
３０…鉄板。
【図１】
2007252494.tif 000003
【図２】
2007252494.tif 000004
【図３】
2007252494.tif 000005
【図４】
2007252494.tif 000006
【図５】
2007252494.tif 000007
【図６】
2007252494.tif 000008
【図７】
2007252494.tif 000009
【図８】
2007252494.tif 000010
【図９】
2007252494.tif 000011
【図１０】
2007252494.tif 000012
【図１１】
2007252494.tif 000013
【図１２】
2007252494.tif 000014